(57)【要約】【課題】筐体を形成する際に不具合が生じることを抑制すること。【解決手段】フロントケース１２の側壁１３がリアケース１４の側壁１６よりも内側になってリアケース１４がフロントケース１２に組み合わされ、リアケース１４の側壁１６に設けられた貫通孔２０に挿入されて貫通孔２０の延在方向に可動し、リアケース１４の側壁１６よりもリアケース１４の内側に突出した突出部３８を有するボタン３０を備え、突出部３８のうちのリアケース１４の開口側に位置する面は、リアケース１４の開口側から開口側とは反対側に向かうに従いリアケース１４の側壁１６からの高さが高くなるように傾斜した傾斜面３９を有する、筐体１０と、筐体１０内に設けられた電子部品６２と、を備える電子機器。【選択図】図５
2018078261.tif 000002
【特許請求の範囲】
【請求項１】
第１ケースの側壁が第２ケースの側壁よりも内側になって前記第２ケースが前記第１ケースに組み合わされ、前記第２ケースの前記側壁に設けられた貫通孔に挿入されて前記貫通孔の延在方向に可動し、前記第２ケースの前記側壁よりも前記第２ケースの内側に突出した突出部を有する可動部を備え、前記突出部のうちの前記第２ケースの開口側に位置する面は、前記第２ケースの前記開口側から前記開口側とは反対側に向かうに従い前記第２ケースの前記側壁からの高さが高くなるように傾斜した傾斜面を有する、筐体と、
前記筐体内に設けられた電子部品と、を備える電子機器。
【請求項２】
前記筐体は、前記可動部よりも前記第２ケースの前記開口側に位置する前記第２ケースの前記側壁に、前記第２ケースの前記側壁からの前記突出部の最大高さより低い高さで前記第２ケースの内側に張り出した庇部を有する、請求項１記載の電子機器。
【請求項３】
前記筐体は、前記可動部を前記第２ケースの内側で前記第２ケースの前記側壁に固定する固定具を備え、
前記固定具のうちの前記第２ケースの前記側壁に貼り付けられた貼付部分は前記庇部よりも前記第２ケースの前記開口から離れた位置に配置され、前記可動部及び前記第２ケースの前記側壁のいずれにも貼り付けられていない非貼付部分は前記突出部の前記傾斜面よりも前記第２ケースの前記開口から離れた位置に配置され、
前記庇部は、前記固定具のうちの前記貼付部分よりも前記第２ケースの前記側壁からの高さが高い、請求項２記載の電子機器。
【請求項４】
前記可動部は、前記第２ケースの前記側壁に垂直な方向に可動することで前記筐体内に設けられたスイッチを押すボタンである、請求項１から３のいずれか一項記載の電子機器。
【請求項５】
第１ケースの側壁が第２ケースの側壁よりも内側になって前記第２ケースが前記第１ケースに組み合わされた筐体であって、
前記第２ケースの前記側壁に設けられた貫通孔に挿入されて前記貫通孔の延在方向に可動し、前記第２ケースの前記側壁よりも前記第２ケースの内側に突出した突出部を有する可動部を備え、
前記突出部のうちの前記第２ケースの開口側に位置する面は、前記第２ケースの前記開口側から前記開口側とは反対側に向かうに従い前記第２ケースの前記側壁からの高さが高くなるように傾斜した傾斜面を有する、筐体。
【発明の詳細な説明】
【技術分野】
【０００１】
本発明は、電子機器及び筐体に関する。
【背景技術】
【０００２】
筐体の側面にボタンが配置され、ボタンを押すことで筐体内に設けられたスイッチが押される電子機器が知られている。例えば、防水性向上のために、筐体内の中ケース内に配置されたスイッチと筐体の側面に配置されたボタンとの間に位置する中ケースの貫通孔に弾性部材を嵌め込んだ携帯端末装置が知られている（例えば、特許文献１）。また、筐体本体にケースを取り付ける構造において、ケースに係合用爪と変形防止用突部を設け、筐体本体に係合用爪に対応した係合用凹部と変形防止用突部に対応した変形防止用凹部を設けた構造が知られている（例えば、特許文献２）。
【先行技術文献】
【特許文献】
【０００３】
【特許文献１】特開２００６−３４４５２８号公報
【特許文献２】特開２０１２−２３４９４４号公報
【発明の概要】
【発明が解決しようとする課題】
【０００４】
第１ケースの側壁が第２ケースの側壁よりも内側になるように、第２ケースを第１ケースに組み合わせて筐体を形成する場合がある。第２ケースの側壁には、この側壁を貫通する貫通孔に挿入されて貫通孔の延在方向に可動する可動部が設けられていることがある。可動部が第２ケースの側壁よりも第２ケースの内側に突出していると、第２ケースを第１ケースに組み合わせる際に、可動部が第１ケース内の部品などに当たって第２ケースの組み付け方向と反対側の方向に押されて動くことがある。この場合、可動部が所定の位置からずれて不具合が生じることがある。
【０００５】
１つの側面では、筐体を形成する際に不具合が生じることを抑制することを目的とする。
【課題を解決するための手段】
【０００６】
１つの形態によれば、第１ケースの側壁が第２ケースの側壁よりも内側になって前記第２ケースが前記第１ケースに組み合わされ、前記第２ケースの前記側壁に設けられた貫通孔に挿入されて前記貫通孔の延在方向に可動し、前記第２ケースの前記側壁よりも前記第２ケースの内側に突出した突出部を有する可動部を備え、前記突出部のうちの前記第２ケースの開口側に位置する面は、前記第２ケースの前記開口側から前記開口側とは反対側に向かうに従い前記第２ケースの前記側壁からの高さが高くなるように傾斜した傾斜面を有する、筐体と、前記筐体内に設けられた電子部品と、を備える電子機器である。
【０００７】
１つの形態によれば、第１ケースの側壁が第２ケースの側壁よりも内側になって前記第２ケースが前記第１ケースに組み合わされた筐体であって、前記第２ケースの前記側壁に設けられた貫通孔に挿入されて前記貫通孔の延在方向に可動し、前記第２ケースの前記側壁よりも前記第２ケースの内側に突出した突出部を有する可動部を備え、前記突出部のうちの前記第２ケースの開口側に位置する面は、前記第２ケースの前記開口側から前記開口側とは反対側に向かうに従い前記第２ケースの前記側壁からの高さが高くなるように傾斜した傾斜面を有する、筐体である。
【発明の効果】
【０００８】
１つの側面として、筐体を形成する際に不具合が生じることを抑制できる。
【図面の簡単な説明】
【０００９】
【図１】図１は、実施例に係る携帯端末装置の斜視図である。
【図２】図２は、リアケースをフロントケースに組み付ける前の分解斜視図である。
【図３】図３（ａ）は、リアケースの内側を示す斜視図、図３（ｂ）は、図３（ａ）の一部を拡大した斜視図である。
【図４】図４は、図３（ｂ）のＡ−Ａ断面の断面図である。
【図５】図５は、実施例に係る携帯端末装置のボタンが設けられた部分における断面図である。
【図６】図６は、比較例に係る携帯端末装置のボタンが設けられた部分における断面図である。
【図７】図７は、比較例に係る携帯端末装置において、リアケースをフロントケースに組み合わせる工程を示す断面図である。
【図８】図８は、実施例に係る携帯端末装置において、リアケースをフロントケースに組み合わせる工程を示す断面図である。
【発明を実施するための形態】
【００１０】
以下、図面を参照して、本発明の実施例について説明する。
【実施例】
【００１１】
図１は、実施例に係る携帯端末装置１００の斜視図である。実施例に係る携帯端末装置１００は、例えばスマートフォンやタブレット型パソコンなどの、ユーザにより携帯された状態で利用される情報端末装置である。図１のように、実施例の携帯端末装置１００は、フロントケース１２とリアケース１４とが組み合わされた筐体１０を有する。フロントケース１２及びリアケース１４は、例えば樹脂材料などから形成されている。フロントケース１２には、前面にタッチパネルが組み付けられている。リアケース１４の側面には、ボタン３０が設けられている。ボタン３０は、例えばＡＢＳ樹脂やポリカーボネートなどの合成樹脂などから形成されている。なお、以下において、携帯端末装置１００の短手方向をＸ方向、長手方向をＹ方向、厚み方向をＺ方向として図示する。
【００１２】
図２は、リアケース１４がフロントケース１２に組み合わされる前の分解斜視図である。図２のように、リアケース１４をフロントケース１２にＺ軸方向から組み合わせることで筐体１０は形成される。リアケース１４がフロントケース１２に組み合わされる前の状態において、リアケース１４の側壁に設けられた貫通孔にボタン３０が挿入されている。フロントケース１２内には、バッテリー６０と、プリント基板及び／又はＮＦＣ（Near Field Communication）用のアンテナなどの電子部品６２と、がプリント基板上に搭載されている。また、フロントケース１２の側壁に設けられた貫通孔に例えばゴムからなる弾性部材３２が嵌め込まれている。弾性部材３２は、リアケース１４がフロントケース１２に組み合わされたときに、リアケース１４の側壁に設けられたボタン３０とフロントケース１２内に設けられたスイッチとの間に位置する。なお、図２においては、弾性部材３２を分かり易くするために、フロントケース１２から離して図示している。
【００１３】
図３（ａ）は、リアケース１４の内側を示す斜視図、図３（ｂ）は、図３（ａ）の一部を拡大した斜視図である。図３（ａ）及び図３（ｂ）のように、リアケース１４の側壁１６に設けられた貫通孔に挿入されたボタン３０は、リアケース１４の内側で例えば両面テープなどの粘着剤によってシート３４に貼り付けられている。例えば、複数のボタン３０が１枚のシート３４に貼り付けられていて、これにより、シート３４の部品点数が低減されている。シート３４は、例えば両面テープなどの粘着剤によってリアケース１４の内側でリアケース１４の側壁１６に貼り付けられている。図３（ｂ）において、シート３４のうちのボタン３０に貼り付けられた貼付部分Ｘを密な斜線で図示している。リアケース１４の側壁１６に貼り付けられた貼付部分Ｙを粗な斜線で図示している。ボタン３０及びリアケース１４のいずれにも貼り付けられていない非貼付部分Ｚを斜線無しで図示している。このように、ボタン３０は、シート３４によってリアケース１４の内側でリアケース１４の側壁１６に固定されている。シート３４は、例えばＰＥＴ（Polyethylene Terephthalate）などから形成され、厚さが０．１ｍｍ程度である。なお、シート３４にリアケース１４の側壁１６に貼り付けられていない部分を設けるのは、ボタン３０が押されて動くことを可能とするためである。
【００１４】
ボタン３０は、平坦部３６と、リアケース１４の側壁１６よりもリアケース１４の内側に突出した突出部３８と、を有する。突出部３８は、平坦部３６の中央付近に位置する円柱状部４０と、円柱状部４０から延びた複数の直線状部４２ａ、４２ｂと、を有する。直線状部４２ａは、円柱状部４０からリアケース１４の開口側に向かって延びている。直線状部４２ｂは、円柱状部４０から直線状部４２ａに交差する方向に延びている。直線状部４２ａは、リアケース１４の開口側から開口とは反対側（すなわち、リアケース１４の底面側）に向かうに従い、リアケース１４の側壁１６からの高さが高くなるように傾斜した傾斜面３９を有する。
【００１５】
リアケース１４の側壁１６には、リアケース１４の内側に張り出した庇部４４が設けられている。庇部４４は、ボタン３０よりもリアケース１４の開口側に位置している。
【００１６】
図４は、図３（ｂ）のＡ−Ａ断面の断面図である。図４のように、庇部４４は、リアケース１４の側壁１６に貼り付けられた貼付部分Ｙにおけるシート３４よりも、リアケース１４の内側に出っ張っている。突出部３８の円柱状部４０は、庇部４４よりも、リアケース１４の内側に出っ張っている。
【００１７】
図５は、実施例に係る携帯端末装置１００のボタン３０が設けられた部分における断面図である。図５のように、フロントケース１２の側壁１３の外側にリアケース１４の側壁１６が位置して、フロントケース１２とリアケース１４とが組み合わされている。リアケース１４内の周囲には弾性部材からなるシール部材６８が設けられている。シール部材６８がフロントケース１２に当接することで、フロントケース１２とリアケース１４との間に形成される空間の防水性が確保されている。
【００１８】
フロントケース１２の前面にタッチパネル７０を備えた表示デバイス７２が固定具７４によって組み付けられている。タッチパネル７０は、例えばＬＣＤ（Liquid Crystal Display）を含み、画像や、各種情報、及びタッチ操作ボタンなどの操作入力用画像などを表示する。フロントケース１２内に配置されたプリント基板６６上に、バッテリーカバー６４に嵌め込まれたバッテリー６０が搭載されている。
【００１９】
リアケース１４の側壁１６に設けられた貫通孔２０にボタン３０が挿入されている。ボタン３０は、貫通孔２０の延在方向（側壁１６の厚さ方向）に可動し且つ側壁１６よりもリアケース１４の内側に突出した突出部３８を有する。突出部３８に含まれる円柱状部４０とフロントケース１２内に配置されたスイッチ４６とは、フロントケース１２の側壁１３を貫通する貫通孔に嵌め込まれた弾性部材３２を間に挟んで対向している。これにより、ボタン３０がリアケース１４の外側から押されることで、弾性部材３２が変形して、スイッチ４６が押されることとなる。
【００２０】
ボタン３０の突出部３８のうちのリアケース１４の開口側に位置する直線状部４２ａは、リアケース１４の開口側から開口とは反対側に向かうに従い、リアケース１４の側壁１６からの高さが高くなるように傾斜した傾斜面３９を有する。ボタン３０よりもリアケース１４の開口側に位置するリアケース１４の側壁１６に庇部４４が設けられている。庇部４４のリアケース１４の側壁１６からの高さＨ１は、突出部３８のリアケース１４の側壁１６からの最大高さＨ２よりも低くなっている。
【００２１】
ここで、実施例１の携帯端末装置１００の効果を説明するにあたって、比較例の携帯端末装置について説明する。図６は、比較例に係る携帯端末装置５００のボタン３０が設けられた部分における断面図である。図６のように、比較例の携帯端末装置５００においても、フロントケース１２の側壁１３の外側にリアケース１４の側壁１６が位置して、フロントケース１２とリアケース１４とが組み合わされている。
【００２２】
フロントケース１２の前面にはタッチパネル７０を備えた表示デバイス７２が固定具７４によって組み付けられている。リアケース１４の側壁１６に設けられた貫通孔２０にボタン３０が挿入されている。ボタン３０は、貫通孔２０の延在方向（側壁１６の厚さ方向）に可動し且つ側壁１６よりもリアケース１４の内側に突出した突出部３８を有する。突出部３８は、フロントケース１２の側壁１３を貫通する貫通孔に嵌め込まれた弾性部材３２を介して、フロントケース１２内に配置されたスイッチ４６に対向している。
【００２３】
ボタン３０の突出部３８の側面は、リアケース１４の側壁１６に対してほぼ垂直となっている。すなわち、比較例の携帯端末装置５００では、突出部３８のうちのリアケース１４の開口側に位置する面は、リアケース１４の側壁１６に対してほぼ垂直となっていてテーパとはなっていない。また、ボタン３０よりもリアケース１４の開口側に位置するリアケース１４の側壁１６に庇部４４は設けられていない。
【００２４】
図７は、比較例に係る携帯端末装置５００において、リアケース１４をフロントケース１２に組み合わせる工程を示す断面図である。図７のように、リアケース１４をＺ方向からフロントケース１２に組み合わせることで筐体１０を形成する。この際、携帯端末装置の小型化のために各部品間の距離が小さくなっており、リアケース１４の側壁１６に設けられたボタン３０の突出部３８がフロントケース１２内の部品（例えば弾性部材３２など）に接触することがある。これにより、リアケース１４をフロントケース１２に組み付ける方向とは反対側の方向にボタン３０が押されて動いてしまう場合がある。この場合、ボタン３０によってスイッチ４６を押すことができなくなるなどの不具合が生じてしまう。
【００２５】
図８は、実施例に係る携帯端末装置１００において、リアケース１４をフロントケース１２に組み合わせる工程を示す断面図である。図８のように、リアケース１４をＺ方向からフロントケース１２に組み合わせる際にボタン３０の突出部３８がフロントケース１２内の部品に接触した場合、突出部３８のうちの直線状部４２ａが部品に接触することになる。直線状部４２ａは、リアケース１４の開口側から開口とは反対側に向かうに従いリアケース１４の側壁１６からの高さが高くなる傾斜面３９を有している。このため、直線状部４２ａがフロントケース１２内の部品に接触した場合、ボタン３０はリアケース１４の組み付け方向と交差する方向（すなわち、リアケース１４の側壁１６の厚さ方向）に押されて動くこととなる。ボタン３０は、リアケース１４の側壁１６に設けられた貫通孔２０に挿入されて貫通孔２０の延在方向に可動する。このため、ボタン３０は、リアケース１４の組み付け方向とは反対側の方向に動くと不具合が生じ易いが、リアケース１４の組み付け方向と交差する方向に動いても不具合は生じ難い。したがって、実施例に係る携帯端末装置１００では、リアケース１４をフロントケース１２に組み合わせて筐体１０を形成する際に不具合が生じることを抑制できる。
【００２６】
実施例によれば、図３（ｂ）及び図５のように、ボタン３０の突出部３８のうちのリアケース１４の開口側は直線状部４２ａとなっている。直線状部４２ａは、リアケース１４の開口側から開口とは反対側に向かうに従いリアケース１４の側壁１６からの高さが高くなるように傾斜した傾斜面３９を有する。これにより、図８で説明したように、リアケース１４をフロントケース１２に組み合わせる際に、ボタン３０がリアケース１４の組み付け方向と反対側の方向に押されて動くことを抑制できる。したがって、リアケース１４をフロントケース１２に組み合わせて筐体１０を形成する際に不具合が生じることを抑制できる。
【００２７】
また、実施例によれば、図３（ｂ）及び図５のように、リアケース１４は、ボタン３０よりも開口側に位置する側壁１６に庇部４４を有する。庇部４４は、ボタン３０の突出部３８のリアケース１４の側壁１６からの最大高さよりも低い高さでリアケース１４の内側に張り出している。このような庇部４４が設けられていることで、フロントケース１２に対するリアケース１４の位置を正常な位置に概ね合わせながら、リアケース１４をフロントケース１２に組み合わせることができる。
【００２８】
なお、庇部４４がボタン３０の突出部３８の最大高さ以上の高さであれば、リアケース１４をフロントケース１２に組み合わせる際に、突出部３８がフロントケース１２内の部品に接触することを抑制できる。しかしながら、庇部４４がボタン３０の突出部３８の最大高さ以上の高さである場合、ボタン３０を押してもスイッチ４６を押せなくなることが生じ得る。したがって、庇部４４は、ボタン３０の突出部３８のリアケース１４の側壁１６からの最大高さより低い場合が好ましい。
【００２９】
また、実施例によれば、図３（ｂ）のように、シート３４は、リアケース１４の側壁１６に貼り付けられた貼付部分Ｙと、ボタン３０及びリアケース１４のいずれにも貼り付けられていない非貼付部分Ｚと、を有する。シート３４の貼付部分Ｙは、庇部４４よりもリアケース１４の開口から離れた位置に配置されている。シート３４の非貼付部分Ｚは、ボタン３０の突出部３８に含まれる直線状部４２ａよりもリアケース１４の開口から離れた位置に配置されている。図４のように、庇部４４は、シート３４の貼付部分Ｙよりもリアケース１４の側壁１６からの高さが高くなっている。これにより、リアケース１４をフロントケース１２に組み合わせる際に、シート３４がフロントケース１２内の部品に接触することを抑制できる。よって、シート３４がリアケース１４の側壁１６から剥がれてしまうことを抑制できる。また、シート３４の非貼付部分Ｚが撓んでいる場合でも、リアケース１４をフロントケース１２に組み合わせる際にボタン３０の突出部３８がフロントケース１２内の部品に押されることでシート３４の撓みが低減される。
【００３０】
なお、実施例では、図５のように、直線状部４２ａの全てがリアケース１４の開口側から開口とは反対側に向かうに従いリアケース１４の側壁１６からの高さが高くなる傾斜面３９となっている場合を例に示したが、この場合に限られない。直線状部４２ａの少なくとも一部が傾斜面３９となっていればよく、直線状部４２ａのリアケース１４の内側寄りの部分が少なくとも傾斜面３９となっていることが好ましい。例えば、直線状部４２ａのうちの庇部４４よりもリアケース１４の内側に突出した部分が少なくとも傾斜面３９になっていることが好ましい。また、庇部４４が設けられていない場合には、直線状部４２ａの全てが傾斜面３９となっていることが好ましく、もちろん、庇部４４が設けられている場合でも、直線状部４２ａの全てが傾斜面３９となっていることが好ましい。
【００３１】
なお、実施例では、リアケース１４の側壁１６に設けられた貫通孔２０に挿入されて貫通孔２０の延在方向に可動する可動部として、筐体１０内のスイッチ４６を押すボタン３０の場合を例に示したが、その他の場合であってもよい。また、実施例では、携帯端末装置の場合を例に示したが、その他の電子機器の場合でもよい。
【００３２】
以上、本発明の実施例について詳述したが、本発明はかかる特定の実施例に限定されるものではなく、特許請求の範囲に記載された本発明の要旨の範囲内において、種々の変形・変更が可能である。
【００３３】
なお、以上の説明に関して更に以下の付記を開示する。
（付記１）第１ケースの側壁が第２ケースの側壁よりも内側になって前記第２ケースが前記第１ケースに組み合わされ、前記第２ケースの前記側壁に設けられた貫通孔に挿入されて前記貫通孔の延在方向に可動し、前記第２ケースの前記側壁よりも前記第２ケースの内側に突出した突出部を有する可動部を備え、前記突出部のうちの前記第２ケースの開口側に位置する面は、前記第２ケースの前記開口側から前記開口側とは反対側に向かうに従い前記第２ケースの前記側壁からの高さが高くなるように傾斜した傾斜面を有する、筐体と、前記筐体内に設けられた電子部品と、を備える電子機器。
（付記２）前記突出部のうちの前記第２ケースの前記開口側に位置する面の全てが前記傾斜面となっている、付記１記載の電子機器。
（付記３）前記筐体は、前記可動部よりも前記第２ケースの前記開口側に位置する前記第２ケースの前記側壁に、前記第２ケースの前記側壁からの前記突出部の最大高さよりも低い高さで前記第２ケースの内側に張り出した庇部を有する、付記１または２記載の電子機器。
（付記４）前記筐体は、前記可動部よりも前記第２ケースの前記開口側に位置する前記第２ケースの前記側壁に、前記第２ケースの前記側壁からの前記突出部の最大高さよりも低い高さで前記第２ケースの内側に張り出した庇部を有し、前記突出部のうちの前記第２ケースの前記開口側に位置する面は、少なくとも前記庇部よりも前記第２ケースの内側に突出した部分が前記傾斜面となっている、付記１記載の電子機器。
（付記５）前記筐体は、前記可動部を前記第２ケースの内側で前記第２ケースの前記側壁に固定する固定具を備え、前記固定具のうちの前記第２ケースの前記側壁に貼り付けられた貼付部分は前記庇部よりも前記第２ケースの前記開口から離れた位置に配置され、前記可動部及び前記第２ケースの前記側壁のいずれにも貼り付けられていない非貼付部分は前記突出部の前記傾斜面よりも前記第２ケースの前記開口から離れた位置に配置され、前記庇部は、前記固定具のうちの前記貼付部分よりも前記第２ケースの前記側壁からの高さが高い、付記３または４記載の電子機器。
（付記６）前記可動部は、前記第２ケースの前記側壁に垂直な方向に可動することで前記筐体内に設けられたスイッチを押すボタンである、付記１から５のいずれか一項記載の電子機器。
（付記７）第１ケースの側壁が第２ケースの側壁よりも内側になって前記第２ケースが前記第１ケースに組み合わされた筐体であって、前記第２ケースの前記側壁に設けられた貫通孔に挿入されて前記貫通孔の延在方向に可動し、前記第２ケースの前記側壁よりも前記第２ケースの内側に突出した突出部を有する可動部を備え、前記突出部のうちの前記第２ケースの開口側に位置する面は、前記第２ケースの前記開口側から前記開口側とは反対側に向かうに従い前記第２ケースの前記側壁からの高さが高くなるように傾斜した傾斜面を有する、筐体。
【符号の説明】
【００３４】
１０  筐体
１２  フロントケース
１３  フロントケースの側壁
１４  リアケース
１６  リアケースの側壁
２０  貫通孔
３０  ボタン
３２  弾性部材
３４  シート
３６  平坦部
３８  突出部
３９  傾斜面
４０  円柱状部
４２ａ、４２ｂ  直線状部
４４  庇部
４６  スイッチ
６０  バッテリー
６２  電子部品
６４  バッテリーカバー
６６  プリント基板
６８  シール部材
７０  タッチパネル
７２  表示デバイス
７４  固定具
１００  携帯端末装置
【図１】
2018078261.tif 000003
【図２】
2018078261.tif 000004
【図３】
2018078261.tif 000005
【図４】
2018078261.tif 000006
【図５】
2018078261.tif 000007
【図６】
2018078261.tif 000008
【図７】
2018078261.tif 000009
【図８】
2018078261.tif 000010